(57)【要約】【課題】失敗しないで簡便にネクタイを着用することができるファスナ付きネクタイを提供すること。また、生産性が高く、かつコストを抑え、不良品が発生する割合を低くしたファスナ付きネクタイを提供すること。【解決手段】帯状の大剣部と、大剣部とは別体に形成されて、幅方向の略中央部を分割するファスナ部を有する帯状の小剣部と、を備えるファスナ付きネクタイであって、小剣部は、ファスナ部のスライダを固定する結び目芯部を備え、結び目芯部は、スライダが固定される先端部と、スライダにより分割された半帯が徐々に広がるように通過する２つの通路を有する本体部とを有し、２つの通路は先端部側からループ側に向かって弧を描くように湾曲している。【選択図】図７
2020056133.tif 000002
【特許請求の範囲】
【請求項１】
帯状の大剣部と、前記大剣部とは別体に形成されて、幅方向の略中央部を分割するファスナ部を有する帯状の小剣部と、を備えるファスナ付きネクタイであって、
前記小剣部は、
前記ファスナ部のスライダを固定する結び目芯部と、
前記スライダにより分割された半帯により形成されるループ部と、
前記ループ部とは反対側の端部に設けられ、該ネクタイの裏面側で飾り要素となる剣部小帯と、を備え、
前記大剣部は、
前記大剣部の一端側に設けられ、該ネクタイの前面側で飾り要素となる剣部大帯と、
前記大剣部の他端側に設けられ、前記結び目芯部を収納する収納部と、を備え、
前記結び目芯部は、前記スライダが固定される先端部と、前記スライダにより分割された半帯が徐々に広がるように通過する２つの通路を有する本体部とを有し、
前記２つの通路は前記先端部側から前記ループ部側に向かって弧を描くように湾曲している、ファスナ付きネクタイ。
【請求項２】
帯状の大剣部と、前記大剣部とは別体に形成されて、幅方向の略中央部を分割するファスナ部を有する帯状の小剣部と、を備えるファスナ付きネクタイであって、
前記小剣部は、
前記ファスナ部のスライダを固定する結び目芯部と、
前記スライダにより分割された半帯により形成されるループ部と、
前記ループ部とは反対側の端部に設けられ、該ネクタイの裏面側で飾り要素となる剣部小帯と、を備え、
前記大剣部は、
前記大剣部の一端側に設けられ、該ネクタイの前面側で飾り要素となる剣部大帯と、
前記大剣部の他端側に設けられ、前記結び目芯部を収納する収納部と、を備え、
前記結び目芯部は、前記スライダが固定される先端部と、前記スライダにより分割された半帯が徐々に広がるように通過する２つの通路を有する本体部とを有し、
前記本体部は、２つの壁部と、前記２つの壁部の側面との間で、上側が開口された前記２つの通路を形成する２つの通路壁とを備え、
前記２つの通路壁は、前記ループ部側の通路口に向かって通路の高さが低くなるような切り欠き部を備えている、ファスナ付きネクタイ。
【請求項３】
前記２つの通路は前記先端部側から前記ループ部側に向かって弧を描くように湾曲している、請求項２に記載のファスナ付きネクタイ。
【請求項４】
前記半帯の一部には、前記ファスナ部の複数のエレメントが長さ方向に沿って配置され、該複数のエレメントが配置されない部分の前記半帯の幅の範囲は、１０ｍｍ〜１５ｍｍである、請求項１から３のいずれか１項に記載のファスナ付きネクタイ。
【請求項５】
前記ループ部は、一定以上の力が加わったときに分離して外れる分離具を備えている請求項１から４のいずれか１項に記載のファスナ付きネクタイ。
【請求項６】
前記ファスナ部は、ロック機能を備えている請求項１から５のいずれか１項に記載のファスナ付きネクタイ。
【請求項７】
帯状の大剣部と、前記大剣部とは別体に形成されて、幅方向の略中央部を分割するファスナ部を有する帯状の小剣部と、を備え、
前記小剣部は、
前記ファスナ部のスライダを固定する結び目芯部品と、
前記スライダにより分割された半帯により形成されるループ部と、
を備えたファスナ付きネクタイの結び目芯部品であって、
前記スライダが固定される先端部と、前記スライダにより分割された半帯が徐々に広がるように通過する２つの通路を有する本体部とを有し、
前記２つの通路は前記先端部側から前記ループ部側に向かって弧を描くように湾曲している結び目芯部品。
【請求項８】
帯状の大剣部と、前記大剣部とは別体に形成されて、幅方向の略中央部を分割するファスナ部を有する帯状の小剣部と、を備え、
前記小剣部は、
前記ファスナ部のスライダを固定する結び目芯部品と、
前記スライダにより分割された半帯により形成されるループ部と、
を備えたファスナ付きネクタイの結び目芯部品であって、
前記スライダが固定される先端部と、前記スライダにより分割された半帯が徐々に広がるように通過する２つの通路を有する本体部とを有し、
前記本体部は、２つの壁部と、前記２つの壁部の側面との間で、上側が開口された前記２つの通路を形成する２つの通路壁とを備え、
前記２つの通路壁は、前記ループ部側の通路口に向かって通路の高さが低くなるような切り欠き部を備えている結び目芯部品。
【発明の詳細な説明】
【技術分野】
【０００１】
本発明は、ネクタイ及び結び目芯部品に関するものである。特にファスナーを備え、結び目の形状を崩さずに着脱できるネクタイ及び結び目芯部品に関する。
【背景技術】
【０００２】
ネクタイを迅速にかつ見栄えよく結ぶには、多少の訓練が必要である。特にネクタイを結びなれていない場合には、結び目の形が崩れたり、ネクタイの大剣部と小剣部の長さの釣り合いが取れなかったり、結び目と大剣部との境に窪み（ディンプル）を形成できなかったりなどして、結び直さなければならない場合もある。そこで、結び目と大剣部の部分を予め形成しておき、小剣部にファスナを設けて結び目に通し、小剣部を引っ張って長さを調節することができるファスナ付きネクタイが提案されている。
【０００３】
例えば、特許文献１に記載されるファスナ付きネクタイは、大剣部と小剣部とを別体に構成し、小剣部は、結び目芯部にファスナ部を有する小剣部本体を有し、ファスナ部により分割される２つの半片を結び目芯部に通してその端部をループ状として形成される。そして、大剣部の収納部に結び目芯部を挿入して、さらに大剣部の本体部分を、結び目芯部を覆うように包み込み、収納部に形成された穴を通して形成する。
【先行技術文献】
【特許文献】
【０００４】
【特許文献１】実用新案登録第３１５０６５３号
【発明の概要】
【発明が解決しようとする課題】
【０００５】
特許文献１に記載のファスナ付きネクタイは、ファスナ部により分割される２つの半片は結び目芯部に通して広がりループ状に形成される。この結び目芯部は２つの部材を上下方向に組み合わせることで、２つの半片が通過し会合して組み合わさるＹ字状の通路を形成する。
ループの大きさを調整する場合に、２つの半片が、通路を引っかかることなく、スムーズに通過することが求められる。
本発明は、上述のような課題を解決するため、２つの半片が引っかかることなく、スムーズに通過可能な結び目芯部を有するファスナ付きネクタイ、及びファスナ付きネクタイに用いることができる結び目芯部品を提供することを目的とする。
【課題を解決するための手段】
【０００６】
本発明では、以下のような解決手段を提供する。
【０００７】
（１）本発明にかかるファスナ付きネクタイは、帯状の大剣部と、前記大剣部とは別体に形成されて、幅方向の略中央部を分割するファスナ部を有する帯状の小剣部と、を備えるファスナ付きネクタイであって、
前記小剣部は、
前記ファスナ部のスライダを固定する結び目芯部と、
前記スライダにより分割された半帯により形成されるループ部と、
前記ループ部とは反対側の端部に設けられ、該ネクタイの裏面側で飾り要素となる剣部小帯と、を備え、
前記大剣部は、
前記大剣部の一端側に設けられ、該ネクタイの前面側で飾り要素となる剣部大帯と、
前記大剣部の他端側に設けられ、前記結び目芯部を収納する収納部と、を備え、
前記結び目芯部は、前記スライダが固定される先端部と、前記スライダにより分割された半帯が徐々に広がるように通過する２つの通路を有する本体部とを有し、
前記２つの通路は前記先端部側から前記ループ部側に向かって弧を描くように湾曲している、ファスナ付きネクタイである。
【０００８】
（２）また、本発明にかかるファスナ付きネクタイは、帯状の大剣部と、前記大剣部とは別体に形成されて、幅方向の略中央部を分割するファスナ部を有する帯状の小剣部と、を備えるファスナ付きネクタイであって、
前記小剣部は、
前記ファスナ部のスライダを固定する結び目芯部と、
前記スライダにより分割された半帯により形成されるループ部と、
前記ループ部とは反対側の端部に設けられ、該ネクタイの裏面側で飾り要素となる剣部小帯と、を備え、
前記大剣部は、
前記大剣部の一端側に設けられ、該ネクタイの前面側で飾り要素となる剣部大帯と、
前記大剣部の他端側に設けられ、前記結び目芯部を収納する収納部と、を備え、
前記結び目芯部は、前記スライダが固定される先端部と、前記スライダにより分割された半帯が徐々に広がるように通過する２つの通路を有する本体部とを有し、
前記本体部は、２つの壁部と、前記２つの壁部の側面との間で、上側が開口された前記２つの通路を形成する２つの通路壁とを備え、
前記２つの通路壁は、前記ループ部側の通路口に向かって通路の高さが低くなるような切り欠き部を備えている、ファスナ付きネクタイである。
【０００９】
（３）（２）に記載のファスナ付きネクタイにおいて、前記２つの通路は前記先端部側から前記ループ部側に向かって弧を描くように湾曲していてもよい。
【００１０】
（４）（１）から（３）のいずれかに記載のファスナ付きネクタイにおいて、前記半帯の一部には、前記ファスナ部の複数のエレメントが長さ方向に沿って配置され、該複数のエレメントが配置されない部分の前記半帯の幅の範囲は、１０ｍｍ〜１５ｍｍであってもよい。
【００１１】
（５）（１）から（４）のいずれかに記載のファスナ付きネクタイにおいて、前記ループ部は、一定以上の力が加わったときに分離して外れる分離具を備えていてもよい。
【００１２】
（６）（１）から（５）のいずれかに記載のファスナ付きネクタイにおいて、前記ファスナ部は、ロック機能を備えていてもよい。
【００１３】
（７）  本発明にかかる結び目芯部品は、帯状の大剣部と、前記大剣部とは別体に形成されて、幅方向の略中央部を分割するファスナ部を有する帯状の小剣部と、を備え、
前記小剣部は、
前記ファスナ部のスライダを固定する結び目芯部品と、
前記スライダにより分割された半帯により形成されるループ部と、
を備えたファスナ付きネクタイの結び目芯部品であって、
前記スライダが固定される先端部と、前記スライダにより分割された半帯が徐々に広がるように通過する２つの通路を有する本体部とを有し、
前記２つの通路は前記先端部側から前記ループ部側に向かって弧を描くように湾曲している結び目芯部品である。
【００１４】
（８）  また本発明にかかる結び目芯部品は、帯状の大剣部と、前記大剣部とは別体に形成されて、幅方向の略中央部を分割するファスナ部を有する帯状の小剣部と、を備え、
前記小剣部は、
前記ファスナ部のスライダを固定する結び目芯部品と、
前記スライダにより分割された半帯により形成されるループ部と、
を備えたファスナ付きネクタイの結び目芯部品であって、
前記スライダが固定される先端部と、前記スライダにより分割された半帯が徐々に広がるように通過する２つの通路を有する本体部とを有し、
前記本体部は、２つの壁部と、前記２つの壁部の側面との間で、上側が開口された前記２つの通路を形成する２つの通路壁とを備え、
前記２つの通路壁は、前記ループ部側の通路口に向かって通路の高さが低くなるような切り欠き部を備えている結び目芯部品。
【発明の効果】
【００１５】
本発明によれば、２つの半片が引っかかることなく、スムーズに結び目芯部を通過することが可能となる。
【図面の簡単な説明】
【００１６】
【図１】本発明の実施形態に係るファスナ付きネクタイの斜視図である。
【図２】本発明の実施形態に係るファスナ付きネクタイの裏面図である。
【図３】本発明の実施形態に係るファスナ付きネクタイの大剣部の斜視図である。
【図４】本発明の実施形態に係るファスナ付きネクタイの小剣部の上面図である。
【図５】本発明の実施形態に係るファスナ付きネクタイの小剣部の裏面図である。
【図６】本発明の実施形態に係るファスナ付きネクタイの小剣部の小剣部本体の裏面図である。
【図７】本発明の実施形態に係るファスナ付きネクタイの結び目芯部の上面側から見た斜視図である。
【図８】本発明の実施形態に係るファスナ付きネクタイの結び目芯部の上面図である。
【図９】本発明の実施形態に係るファスナ付きネクタイの結び目芯部の裏面側から見た斜視図である。
【図１０】本発明の実施形態に係るファスナ付きネクタイの結び目芯部の裏面図であるである。
【図１１】本発明の実施形態に係るファスナ付きネクタイの結び目芯部の側面図である。
【図１２】スライドファスナに用いられるスライダの分解斜視図である。
【図１３】本発明の実施形態に係るファスナ付きネクタイの結び目芯部と小剣部本体とを組み立てた場合の部分拡大斜視図である。
【図１４】本発明の実施形態に係るファスナ付きネクタイの組立方法を説明する図である。
【図１５】本発明の実施形態に係るファスナ付きネクタイの組立方法を説明する図である。
【図１６】本発明の実施形態に係るファスナ付きネクタイの組立方法を説明する図である。
【図１７】本発明の実施形態に係るファスナ付きネクタイの他の構成例を示す斜視図である。
【発明を実施するための形態】
【００１７】
以下、本発明の実施形態について図を参照しながら説明する。
【００１８】
図１及び図２を参照して、本発明の一実施形態にかかるファスナ付きネクタイ１について説明する。図１は、ファスナ付きネクタイ１の斜視図である。図２は、ファスナ付きネクタイ１の裏面図である。
【００１９】
ファスナ付きネクタイ１は、ループ部２と、結び目部３と、大剣部４と、小剣部５と、により構成される。また、結び目部３と大剣部４との境目部分には、当該部分の幅方向略中央にディンプル４１が形成されている。
【００２０】
ループ部２は、結び目部３において、対向する２つの頂点部分から延びる帯状の紐により形成される。このループ部２には小剣部５のファスナ部のエレメントが連続して設けられている。このループ部２に人間の頭を通して、ファスナ付きネクタイ１を首周りに移動させ、小剣部５を延在方向に引くことでループ部２のループの大きさが調整される。
【００２１】
結び目部３は、ネクタイの結び目部分に相当する部分であり、略逆三角形状に形成されている。
【００２２】
大剣部４は、ネクタイのいわゆる大剣を構成する部分であり、当該ファスナ付きネクタイ１の前面側に露出する飾り要素となる。裏側には、ループ状の小剣通し４６が設けられており、小剣部５が挿入される。
【００２３】
小剣部５は、大剣部４の裏面側に配置され、ネクタイのいわゆる小剣を構成する部分である。小剣部５と大剣部４は別体として形成され、小剣部５と大剣部４とを組み合わせることにより、ファスナ付きネクタイ１が形成される。小剣部５には、スライドファスナを有するファスナ部５１が形成されており、スライドファスナを開け閉めすることにより、小剣部５及びループ部２の長さが調整される。
【００２４】
ループ部２は通常、ワイシャツの襟の中に入れるが、ループ部２が部分的にねじれてしまうと、スライドファスナを開け閉めをスムーズに行うことがが難しくなる。本発明者は、ループ部２のねじれが生じにくい、ループ部２の幅を検討したところ、１０ｍｍ以上が望ましいことを見出した。なお、図１及び図２に示すように、ループ部２はファスナ部５１から分割された半片５３ａ，５３ｂがつながって構成されるが、半片５３ａ，５３ｂは一部にファスナの複数のエレメント（務歯）を備えている。したがって、ループ部２はエレメントを有する部分とエレメントを有さない部分とがある。エレメントを有する部分の幅を幅ｗ１とし、エレメントを有さない部分の幅を幅ｗ２とする。ループ部２が部分的にねじれは主としてエレメントを有さない部分で生じるため、この部分の幅ｗ２が１０ｍｍ以上であればよい。
エレメントを有さない部分のループ部２の幅ｗ２の上限は、エレメントを有さない部分のループ部がワイシャツの襟の中に入ったときに摩擦力によって移動が妨げられないような範囲が望ましく、１５ｍｍ以下が望ましい。したがって、エレメントを有さない部分のループ部２の幅ｗ２は１０ｍｍ〜１５ｍｍが好ましい。
【００２５】
エレメントを有する部分のループ部２の半片５３ａ，５３ｂはエレメントがスライダで結合すると、小剣部５のファスナ部５１と細帯部５４とを合わせた部分となるため、エレメントを有する部分のループ部２の幅ｗ１はファスナ部５１と細帯部５４とを合わせた部分ｗの幅の略半分（ｗ１＝ｗ／２）となる。よって、エレメントを有する部分のループ部２の幅ｗ１はスライドファスナの幅と細帯部の幅によって決まる。また、後述する図１３に示すように、エレメントを有する部分のループ部２の半片はファスナから分かれるときにほぼ９０度ねじられるが、エレメントを有する部分のループ部２の幅が大きくなると、ねじれにくくなつてスライドファスナを開け閉めがスムーズに行われくくなるので２０ｍｍ以下が望ましい。一方、ねじれすぎると、後述する図４の結び目芯部６０内での通過の妨げになるので、エレメントを有さない部分と同様に１０ｍｍ以上であることが望ましい。またエレメントを有する部分のループ部２の幅ｗ１が大きすぎると、後述する図４の結び目芯部６０の高さが高くなって結び目部３の大きさが大きくなり、小剣部５の幅も大きくなるので、２０ｍｍ以下が望ましい。これらの点を考慮すると、エレメントを有する部分のループ部２の幅ｗ１は１０ｍｍ〜２０ｍｍが好ましい。
【００２６】
エレメントを有さない部分のループ部２の幅ｗ２は、エレメントを有する部分のループ部２の幅ｗ１と同じか、又はより小さくすることが望ましい。エレメントを有さない部分のループ部２の幅ｗ２がエレメントを有する部分のループ部２の幅ｗ１よりも大きいと、エレメントを有さない部分を結び目芯部６０内で通過することが難しくなるからである。
【００２７】
図３を参照して大剣部４について説明する。図３は、大剣部４の斜視図である。
【００２８】
大剣部４は、大剣部本体４３と、結び目小帯４４とにより構成される。大剣部本体４３は、剣部大帯として、ファスナ付きネクタイ１の前面側に露出する飾り要素であり、その剣先４５は、鋭角状に形成されている。
【００２９】
大剣部本体４３の根本部分には、幅方向略中央にディンプル４１が形成されている。このディンプル４１は、ファスナ付きネクタイ１を組み立てた場合に、大剣部４と結び目部３との境目から所定の長さで形成される窪みである（図１参照）。ディンプル４１は、大剣部本体４３の裏面側において、大剣部本体４３を構成する布地を、裏面側に凸となるように所定量つまみ、その状態のまま縫い合わせて固定することで形成される。
【００３０】
大剣部本体４３の根本部分には、また、結び目小帯４４が縫い合わされている。結び目小帯４４は、大剣部本体４３の幅の長さより小さい幅の小帯であり、ファスナ付きネクタイ１を組み立てた場合に、結び目部３となる収納部４２を形成する。
【００３１】
この結び目小帯４４は、所定長さの小帯を同じ面が並ぶように二つ折りにし、そのまま大剣部本体４３に縫い合わせられる。そして、二つ折りにした小帯の裏面側には、後述の結び目芯部６０が収納される略三角形状の収納部４２が形成される。
【００３２】
図４から図１１を参照して小剣部５について説明する。図４は、小剣部５の上面図であり、図５は小剣部５の裏面図である。また、図６は、小剣部５の小剣部本体５０の裏面図であり、図７は、結び目芯部６０の上面側から見た斜視図であり、図８は、結び目芯部６０の上面図であり、図９は、結び目芯部６０の裏面側から見た斜視図であり、図１０は、結び目芯部６０の裏面図である。図１１は、結び目芯部６０の側面である。
【００３３】
小剣部５は、細長状の小剣部本体５０と、小剣部本体５０に取り付けられる結び目芯部６０とにより構成される。小剣部本体５０は、ファスナ部５１と、ファスナ部５１の先端に設けられた小剣部５の飾り要素となる剣部小帯５２と、ファスナ部５１の外側にファスナ部５１の長手方向に沿って接続されてループ部２を形成する細帯部５４と、を有する。
【００３４】
ファスナ部５１は、一般的に使用されているいわゆるスライドファスナを使用することができ、ファスナを開け閉めするスライダ５１１と、２本のテープ部５１２と、テープ部５１２片側に沿って固定された複数のエレメント（務歯）５１３により構成される（図６参照）。
【００３５】
横に並べた状態の２本のテープ部５１２において互いに向かい合う片側に、長手方向に沿って複数のエレメント（務歯）５１３が配列されており、スライダ５１１がエレメント５１３を噛み合わせ又は離脱させながら長手方向に沿って進退することで小剣部本体５０を幅方向略中央で分割又は分割された半片５３ａ，５３ｂを結合する。
なお、スライダはロック機能を備えないものと、ロック機能を備えたものがある。ロック機能を有するスライダの機構は特に限定されず、例えば、引手についている爪がエレメントに働きロックされるスライダ、引手のカムがチェーンエレメントを押さえ込んでロックされるスライダ等が用いられる。ロック機能を有するスライダの具体例としては、例えば、特許第3626368号、特許第4906644号等に開示されたスライダがある。
【００３６】
本実施形態のスライダ５１１はロック機能を備えており、スライダ５１１を所望の位置でロックすることができ、意図せぬ力が加わりスライドファスナが開いてループ部２が広がってしまうことを防ぐことができる。スライドファスナの表面側（スライドファスナを結合した状態の時にエレメント５１３が視認できる側）には、スライドファスナのスライダ５１１に、スライダを動かすための引手を取り付けるための突起と、突起に取り付けられた引手とが設けられている。本実施形態では、引手についている爪がエレメントに働きロックされるスライダを備えたスライドファスナが用いられ、引手を倒すと爪がエレメントに働きスライダがロックされ、引手を上げると爪がエレメントから外れ、スライダのロックが解除される。スライダ５１１の構成については図１２を用いて後述する。
【００３７】
また、ファスナ部５１は、ファスナの裏面側が剣部小帯５２のおもて面側と同じ面となるように配置され、接続される。すなわち、エレメント５１３を視認できるファスナのおもて面側がファスナ付きネクタイ１の裏面側に向くように配置される。
【００３８】
スライダ５１１は、結び目芯部６０の先端部分に固定されており、スライダ５１１により分割された半片５３ａ，５３ｂは、結び目部３内部を通って結び目部３の対向する２つの頂点３１ａ，３１ｂ部分からそれぞれ延出してループ部２の一部を形成する。
【００３９】
剣部小帯５２は、いわゆるネクタイにおける小剣の先端部分であり、小剣部５の飾り要素となる。本実施形態では、剣部小帯５２は全体として筒状に形成され、剣部小帯５２の先端は鋭角状に形成される。また、根本部分はファスナ部５１が接続される。このときファスナ部５１は、通常スライドファスナで設けられる上止または下止が露出しないように形成される。このため、剣部小帯５２の根本部分は、筒状に形成された内部に、ファスナ部５１の先端を上止または下止部分が露出しない位置まで挿入し、ファスナ部５１と縫い合わされた状態となる。
【００４０】
細帯部５４は、ファスナ部５１の両側部に沿って設けられ、かつファスナ部５１の長手方向の長さよりも長く生成されてループ部２を構成する。細帯部５４は、ファスナ部５１と細帯部５４とを合わせた幅方向の長さが剣部小帯５２の幅方向の長さと同じ長さとなるように形成される。そして、ファスナ部５１の端部と共に剣部小帯５２の根本部分に縫い込まれる。
【００４１】
また、細帯部５４は、１本の長い帯を二つ折りにして形成されており、ファスナ部５１のテープ部５１２を挟み込むように縫いつけられている。また、細帯部５４は、ファスナ部５１の一方側の側部において、ファスナ部５１の剣部小帯５２側端部からループ部２側の端部に至るまでテープ部５１２に縫いつけられた後、さらに所定長さをおいてループを形成し、再びファスナ部５１の他方側の側部に沿ってループ部２側の端部から剣部小帯５２側の端部に至るまでテープ部５１２に縫いつけられている。細帯部５４がファスナ部５１に縫いつけられていない部分は、細帯部５４は筒状に形成される。
【００４２】
細帯部５４は、ファスナ部５１の両側部に縫いつけられているため、スライダ５１１によって分割されたテープ部５１２は、細帯部５４と共に半片５３ａ，５３ｂを構成する。そして、細帯部５４においてファスナ部５１に縫いつけられていない部分（エレメントを有さない部分）と、スライダ５１１によって分割された半片５３ａ，５３ｂ（エレメントを有する部分）によりループ部２が形成される。
なお、ファスナ部５１の結び目芯部６０側の端部においてもいわゆるスライドファスナの上止又は下止は露出しないように形成される。したがって、ファスナ部５１の当該端部は、筒状に形成された細帯部５４内部に縫い込まれている。
【００４３】
図７から図１１を参照して結び目芯部６０について説明する。結び目芯部６０は結び目芯部品となる。
結び目芯部６０は、結び目部３を構成する要素であり、略Ｙ字形状に形成されている。結び目芯部６０には、スライダ５１１を固定するスライダ固定部６１と、スライダ５１１により分割された半帯としての半片５３ａ，５３ｂが挿通する挿通路となる半片通路６２ａ，６２ｂとが形成される。
【００４４】
結び目芯部６０は、「ハ」の字状の壁部６０１ａ，６０１ｂと、壁部６０１ａ，６０１ｂの両側面の端辺からＬ字状に延び、壁部６０１の側面との間で半片通路６２ａ，６２ｂを形成する通路壁６０３ａ，６０３ｂと、壁部６０１ａ，６０１ｂと接続される先端部６０２と、を有する（図７及び図８参照）。先端部６０２の一部はスライダ固定部６１を構成する。壁部６０１ａ，６０１ｂと通路壁６０３ａ，６０３ｂとは本体部を構成する。本体部は、２つの壁部６０１ａ，６０１ｂと、２つの壁部６０１ａ，６０１ｂの側面との間で、上側が開口された２つの通路（半片通路６２ａ，６２ｂ）を形成する２つの通路壁６０３ａ，６０３ｂとを備えることになる。
壁部６０１ａ，６０１ｂは上部から見たときに、先端部６０２側からループ２側に向かって弧を描くように湾曲しており、通路壁６０３ａ，６０３ｂも壁部６０１ａ，６０１ｂに対向するように湾曲している。すなわち、結び目芯部６０は、スライダが固定される先端部６０２と、スライダにより分割された半帯が徐々に広がるように通過する２つの通路（半片通路６２ａ，６２ｂ）を有する本体部とを備えている。このため、半片通路６２ａ，６２ｂは先端部６０２側からループ２側に向かって弧を描くように湾曲している。半片５３ａ、５３ｂのテープ部はポリエステル等で形成され、柔軟性があり湾曲可能である。半片５３ａ、５３ｂが半片通路６２ａ，６２ｂを通過するときに、半片通路６２ａ，６２ｂが湾曲していると半片５３ａ、５３ｂも湾曲して通路内をスムーズに出入りできる。よって、２つの半片は引っかかることなく結び目芯部６０を通過できる。
【００４５】
壁部６０１ａ、６０１ｂと通路壁６０３ａ，６０３ｂとで形成される通路では、ループ２側の通路口に向かって通路の高さが徐々に低くなるように、壁部６０１ａ、６０１ｂと通路壁６０３ａ，６０３ｂとに切り欠き部が形成される。このように、ループ２側の通路口に向かって通路の高さが徐々に低くなるように形成されると、半片５３ａ，５３ｂと通路の壁面との接触が通路口に向かうに従って少なくなり、半片５３ａ，５３ｂがスムーズに通路を出入りできるようになる。
【００４６】
特許文献１に記載のファスナ付きネクタイは、結び目芯部は２つの部材を上下方向に組み合わせることで、２つの半片が通過し会合して組み合わさるＹ字状の通路を形成していたが、本実施形態の結び目芯部は一つの部材で構成されるため、製造コストを低減することができる。
【００４７】
先端部６０２は、裏側には、スライダ固定部６１となる凹部６１１が形成される。
【００４８】
凹部６１１は、スライダ５１１が嵌設される凹部であり、スライダ５１１の形状に合わせて形成されている。本実施形態では、凹部６１１は、突起６０２１と、「コ」の字状の囲み突起６０２２とで形成されている。そして、突起６０２１の下面にスライダ５１１の肩口側の先端が突き当たり、囲み突起６０２２の内部にスライダ５１１の後口側の端部が嵌め込まれる。
【００４９】
通路壁６０３ａ,６０３ｂは、壁部６０１ａ，６０１ｂとの間で、結び目芯部６０の上面側が開放された凹部を構成するようにＬ字型に構成され、この凹部にスライダ５１１により分割されたファスナ部５１の半片５３ａ,５３ｂが挿通される。
【００５０】
また、結び目芯部６０は、壁部６０１ａ，６０１ｂを繋ぐように形成されたブリッジ部６０４を有する。
【００５１】
図１２は、スライドファスナに用いられるスライダの分解斜視図である。図１２のスライダ５１１は特許第4906644号の図１２に対応しており、スライダ５１１の構成及び動作は特許第4906644号に詳述されている。
図１２に示すように、スライダ５１１は、引手５１１Ａと、引手５１１Ａが回動可能に取り付けられるスライダ胴体５１１Ｂとから構成されており、引手５１１Ａにはスライダ５１１をロックさせるための左右の停止爪５１２２ａ，５１２２ｂが一体に形成されている。停止爪５１２２ａ、５１２２ｂは回動軸部５１２１に設けられている。
【００５２】
スライダ胴体５１１Ｂは、上翼板５１３６と下翼板５１３９とが案内柱５１３８により前部で連結されている。上翼板５１３６には、スライダ胴体５１１Ｂの前後略中央部の位置に、孔部５１３４ａ、５１３４ｂをそれぞれ有する引手取付柱５１３３ａ、５１３３ｂがスライダ幅方向に互いに離間して立設されており、これらの左右の引手取付柱５１３３ａ、５１３３ｂの内側に、上翼板５１３５を貫通する左右の窓部５１３５ａ、５１３５ｂが平行に穿設されている。孔部５１３４ａ、５１３４ｂには回動軸部５１２１が挿入される。
スライダ５１１は、引手５１１Ａをスライダ胴体５１１Ｂの後口側に上翼板５１３６の上面と略平行となるように傾倒させたときに、左右の停止爪５１２２ａ、５１２２ｂの一部がスライダ胴体５１１Ｂのエレメント案内路５１４０に突出し、また、この停止爪５１２２ａ、５１２２ｂの一部が突出した状態から引手５１１Ａをスライダ胴体５１１Ｂの肩口側に回動させることにより、突出した停止爪５１２２ａ、５１２２ｂがエレメント案内路５１４０から退避するように構成されている。
【００５３】
上翼板５１３６の肩口側の上面端部５１３６ａが、結び目芯部６０の突起６０２１の下面６０２１ａ（図１１参照）と当接し、下翼板５１３９の後口側の端面５１３９ａが、結び目芯部６０の囲み突起６０２２の内面６０２２ａ（図１１参照）と当接するように、スライダ５１１は結び目芯部６０の凹部６１１に嵌めこまれる。
【００５４】
図１３から図１６を参照して、ファスナ付きネクタイ１の組立方法について説明する。図１３は、結び目芯部６０と小剣部本体５０とを組み立てた場合の部分拡大斜視図である。図１４から図１６は、ファスナ付きネクタイ１の組立方法を説明する図である。
【００５５】
ファスナ付きネクタイ１を組み立てるには、まず、小剣部５を形成する。つまり、小剣部本体５０と結び目芯部６０とを結合する。
【００５６】
まず、結び目芯部６０に小剣部本体５０を乗せる。このとき、結び目芯部６０の凹部６１１に、ファスナ部５１のスライダ５１１を挿入する。また、スライダ５１１により分割される半帯としての半片５３ａ，５３ｂをそれぞれ、両側の半片通路６２ａ，６２ｂに挿入する。
そして、半片５３ａ，５３ｂは、スライダ５１１により分割された後、半片通路６２ａ，６２ｂに導入される（図１３参照）。半片５３ａ，５３ｂの向きは、細帯部５４が上側（壁部６０１ａ，６０１と通路壁６０３ａ，６０３ｂとの間の開口側）に向き、ファスナ部５１のエレメント５１３が下側（通路壁６０３ａ，６０３ｂの底面側）を向くように配置される。
このように、小剣部本体５０と結び目芯部６０とが結合され、小剣部５が形成される。
【００５７】
次に、図１４に示すように、大剣部４と小剣部５とを組み合わせる。
まず、大剣部本体４３の根本部分において、その幅方向略中央を裏側から摘んだ状態で縫い合わせて固定する。これにより、大剣部本体４３の根本部分にディンプル４１となる窪みが形成される。次に大剣部本体４３と結び目小帯４４とを縫い合わせて、大剣部４を形成する（図３参照）。このとき、結び目小帯４４のおもて面側と大剣部本体４３のおもて面とが同じ面になるように両端を大剣部本体４３の根本部分に並べ、大剣部本体４３の根本部分と縫い合わせる。このため、結び目小帯４４を折り曲げた部分は、頂点部分に貫通孔が形成された略三角形状のポケット状に形成される。このポケット状に形成された部分が結び目芯部６０が挿入されて結び目部３を構成する収納部４２となる。この収納部は、大剣部本体４３の裏面側に形成される（図３参照）。
【００５８】
次に小剣部５を剣部小帯５２側から大剣部４の収納部４２に挿通させる。このとき、剣部小帯５２のおもて面側が収納部４２のポケット状になっている上面側となるように挿通される。つまり、剣部小帯５２の裏面側と大剣部本体４３の裏面側が対向するように配置される。
【００５９】
次に、図１５に示すように、収納部４２を通過した剣部小帯５２を引っ張って、収納部４２に結び目芯部６０が挿入されるまで引いていく。これにより、略Ｙ字型の結び目芯部６０は、そのＹ字型の両腕部分が収納部４２の略逆三角形状の斜面に沿うように収まり、収納部４２の頂点部分の孔からスライダ５１１の引手５１１Ａが突出した状態となる。このため、引手５１１Ａを倒すことで、スライダ５１１を所望の位置でロックすることができる。また、半片５３ａ，５３ｂは半片通路６２ａ，６２ｂに誘導されて収納部４２の両端から外方向に誘導されている。
【００６０】
次に、図１６に示すように、大剣部本体４３の剣先４５部分を収納部４２の頂点部分の孔に通し、結び目部３を形成する。このとき、大剣部本体４３の剣先４５を一旦ループ部２のループに通し、収納部４２に挿入されている結び目芯部６０をくるむように、結び目芯部６０の上面側の上から重ねて大剣部４の剣先４５から収納部４２の頂点部分の孔に挿通させる。そして、収納部４２を通した大剣部４の剣先４５をそのまま進行方向に引っ張ると、図１に示すファスナ付きネクタイ１となる。
【００６１】
このファスナ付きネクタイ１を着用するには、まず、ループ部２の部分を結び目部３とは反対方向に引っ張ると、スライダ固定部６３に固定されたファスナ部５１のスライダ５１１が相対的にファスナ部５１を移動して小剣部本体５０を分割するとともに、分割された半片５３ａ，５３ｂの長さが長くなり、ループ部２のループの大きさが大きくなる。
【００６２】
この状態で結び目部３及び大剣部４が表となるようにループ部２に頭を通し、胸元に結び目部３と大剣部４とを置く。そして、結び目部３を手で持つなどして固定した状態で小剣部５を剣先４５方向に引くと、ループ部２のループの大きさが調整される。すなわち、小剣部５を剣先４５方向に引くことにより、スライダ５１１が半片５３ａ，５３ｂに固定されている複数のエレメントを噛み合わせてファスナを閉める方向に作用する。これとともに、半片５３ａ，５３ｂが結合されて小剣部本体５０が形成されるので、小剣部本体５０の長さが長くなるとともに、ループ部２側の半片５３ａ，５３ｂ部分が短くなり、ループ部２のループの大きさが小さくなる。
【００６３】
このとき、小剣部５の長さは、小剣部本体５０の長さが最も長い状態（止まるまで小剣部５を引っ張ってループ部２のループの大きさが最小の状態）でも大剣部本体４３の長さよりも短い。そして、小剣部５を大剣部本体４３の裏側に設けられた小剣通し４６に通して着用が完了する。
【００６４】
またファスナ付きネクタイ１を身体から外すには、逆に結び目部３を手で持つなどしてそのまま剣先４５方向に引っ張る。すると、首周りに掛けられているループ部２により小剣部５が引っ張られて結び目部３が剣先４５方向に移動する。このとき、ファスナ部５１のスライダ５１１がファスナ部５１の噛み合わされている複数のエレメント５１３の噛み合わせを解除するように作用する。そして、スライダ５１１がエレメント５１３の噛み合わせを解除するにつれて、小剣部本体５０の長さが短くなるとともに、半片５３ａ，５３ｂの長さが長くなり、ループ部２のループの大きさが大きくなる。そして、ループ部２のループの大きさを頭を通せることができる大きさまで大きくすると、首周りから頭を通してファスナ付きネクタイ１を身体から外すことができる。
【００６５】
上述の実施形態によれば、ファスナ付きネクタイ１は、大剣部４と小剣部５とを別体に構成し、小剣部５は、結び目芯部６０にファスナ部５１を有する小剣部本体５０を有し、ファスナ部５１により分割される半片５３ａ，５３ｂを結び目芯部６０に通してその端部をループ状として形成される。そして、大剣部４の収納部４２に結び目芯部６０を挿入して、さらに大剣部４の本体部分を、結び目芯部６０を覆うように包み込み、収納部４２に形成された穴を通して形成する。これにより、予めネクタイが結び目と共に形成されており、ファスナ部５１により分割される半片５３ａ，５３ｂの長さを調整するだけでよいので、形の崩れないファスナ付きネクタイ１を提供することができる。また、結び目部３を作成するのは、予め形成された収納部４２に結び目芯部６０を挿入し、大剣部４の大剣部本体４３で包み込むようにするだけでよいので、ファスナ付きネクタイ１を簡便にかつ組み立てる者の差を生むことなく組み立てることができる。よって、生産上の効率を上げることができる。
【００６６】
上述の実施形態によれば、ファスナ部５１のスライダ５１１を固定するには、スライダ５１１を結び目芯部６０の凹部６１１にに嵌め込むだけでよいので、組み立て方法が単純である。よって、ファスナ付きネクタイ１の組み立てを容易にすることができる。
【００６７】
上述の実施形態によれば、結び目芯部６０は、スライダ５１１により分割された半帯としての半片５３ａ，５３ｂが挿通される半片通路６２ａ，６２ｂを有する。これにより、半片５３ａ，５３ｂは半片通路６２ａ，６２ｂにより所定方向に誘導されるので、スライダ５１１が複数のエレメント５１３を噛み合わせ又は噛み合わせを解除することを妨げず、かつループ部２のループの形状を維持することができる。
【００６８】
上述の実施形態によれば、収納部４２は、大剣部４の幅よりも小さい幅の結び目小帯４４を、その両端部それぞれが同じ面を向くように並べて固定することにより形成される。これにより、小帯を折り曲げた部分には、略三角形状にポケット状となった収納部４２が形成される。これにより、結び目部３を形成する収納部４２を形成するのも端に小帯を折り曲げて縫いつけるだけなので、組み立てが単純でありかつ簡単である。
【００６９】
上述の実施形態によれば、ファスナ部５１の外側には、一本の帯状の小帯を折り返して形成された細帯部５４が設けられる。この細帯部５４は、略中央部分がファスナ部５１と結合されておらず、ループ部２を構成する。これにより、ファスナ部５１のテープ部５１２の両側部が露出することがないので見栄えがよく、かつ小剣部５を補強することができる。
【００７０】
上述の実施形態によれば、小剣部５の表面となる側には、ファスナ部５１の裏面側が配置される。これにより、ファスナ部５１の裏面側はテープ部５１２に覆われた状態となり、エレメント５１３が視認されないので、小剣部５が大剣部４から見えてしまった場合でも、ファスナ部５１が目立たないので視認性がよくなる。
【００７１】
上述の実施形態では、大剣部４及び小剣部５はそれぞれ剣先が鋭角状の大剣部本体４３及び剣部小帯５２を備えるとしたが、その形状は鋭角状でなくてもよい。ファスナ付きネクタイ１自体のデザインに応じて剣先の形状を形成することができる。
【００７２】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【００７３】
例えば、図１７に示すように、ループ部２は、一定以上の力が加わったときに分離して外れる分離具２１を、エレメントを有さない部分に備えていてもよい。分離具は例えばネックストラップにおいて安全具又は安全パーツとして使用されており、同じ構成のものを用いることができる。ファスナ付きネクタイは使用時にはループ部２が締められた状態で用いられるので、使用時には一定以上の力が加わる事態は考えにくく、分離具は必ずしも設けなくともよいが、分離具で分離可能とすれば、ファスナーの故障によりループ部２を広げることができなくなっても、ファスナ付きネクタイの取り外しが可能となる。
【符号の説明】
【００７４】
１  ファスナ付きネクタイ
２  ループ部
３  結び目部
４  大剣部
５  小剣部
２１  分離具
４１  ディンプル
４２  収納部
４３  大剣部本体
４４  結び目小帯
４５  剣先
５０  小剣部本体
５１  ファスナ部
５２  剣部小帯
５３  大剣部本体
５３ａ，５３ｂ  半片
５４  細帯部
６０  結び目芯部
６３  スライダ固定部
６２ａ，６２ｂ  半片通路
５１１  スライダ
【図１】
2020056133.tif 000003
【図２】
2020056133.tif 000004
【図３】
2020056133.tif 000005
【図４】
2020056133.tif 000006
【図５】
2020056133.tif 000007
【図６】
2020056133.tif 000008
【図７】
2020056133.tif 000009
【図８】
2020056133.tif 000010
【図９】
2020056133.tif 000011
【図１０】
2020056133.tif 000012
【図１１】
2020056133.tif 000013
【図１２】
2020056133.tif 000014
【図１３】
2020056133.tif 000015
【図１４】
2020056133.tif 000016
【図１５】
2020056133.tif 000017
【図１６】
2020056133.tif 000018
【図１７】
2020056133.tif 000019